(57)【要約】  照明環境１００内のターゲット面５０の照明ユニット１０による照明を測定するための方法３００は、前記照明ユニットの光源１２で、前記ターゲット面を照明するステップ３２０と、光センサ３２で、前記ターゲット面の複数の位置の光強度を検出するステップ３３０と、前記照明環境のパラメータを検出するステップ３４０と、前記照明ユニットのコントローラによって、前記照明環境の検出された前記パラメータに基づいて、複数の前記光強度のサブセットを選択するステップ３５０と、選択された前記光強度のサブセットを用いて、前記ターゲット面のルクスを推定するステップ３６０とを有する。
2019507484.tif 000002
【特許請求の範囲】
【請求項１】
照明環境内のターゲット面の照明ユニットによる照明を測定するための方法であって、
前記照明ユニットの光源で、前記ターゲット面を照明するステップと、
光センサで、前記ターゲット面の複数の位置の光強度を検出するステップと、
前記照明環境のパラメータを検出するステップと、
検出された前記パラメータを用いて、前記光源と前記ターゲット面との間の前記照明環境内に位置する障害物を検出するステップと、
前記照明ユニットのコントローラによって、前記照明環境の前記検出されたパラメータ、及び検出された前記障害物に基づいて、複数の前記光強度のサブセットを選択するステップと、
選択された前記光強度のサブセットを用いて、前記ターゲット面のルクスを推定するステップとを有する方法。
【請求項２】
前記照明環境の前記パラメータが、第２センサで検出される請求項１に記載の方法。
【請求項３】
前記検出されたパラメータが、前記光源と反射面との間の距離である請求項１に記載の方法。
【請求項４】
前記検出されたパラメータが、前記照明環境の少なくとも一部の二次元画像である請求項１に記載の方法。
【請求項５】
前記検出されたパラメータが、前記照明環境の少なくとも一部の三次元画像である請求項１に記載の方法。
【請求項６】
前記ターゲット面の推定された前記ルクスに基づいて、前記照明ユニットのパラメータを調節するステップを更に有する請求項１に記載の方法。
【請求項７】
前記検出されたパラメータが、前記照明環境内の占有者であり、前記コントローラが、検出された前記占有者についての情報に少なくとも部分的に基づいて前記複数の光強度の前記サブセットを選択するよう構成される請求項１に記載の方法。
【請求項８】
前記検出されたパラメータが、前記照明環境の少なくとも一部のサーモグラムである請求項１に記載の方法。
【請求項９】
照明環境内のターゲット面を照明するよう構成される照明ユニットであって、
光源と、
前記ターゲット面の複数の位置の光強度を検出するよう構成される光センサと、
前記照明環境のパラメータを検出するよう構成されるセンサと、
検出された前記パラメータを用いて、前記光源と前記ターゲット面との間の前記照明環境内に位置する障害物を検出するよう構成されるセンサと、
前記照明環境の前記検出されたパラメータ、及び検出された前記障害物に基づいて、複数の前記光強度のサブセットを選択し、選択された前記光強度のサブセットを用いて、前記ターゲット面のルクスを決定するよう構成されるコントローラとを有する照明ユニット。
【請求項１０】
前記検出されたパラメータが、前記光源と前記ターゲット面との間の距離である請求項９に記載の照明ユニット。
【請求項１１】
前記検出されたパラメータが、前記照明環境の少なくとも一部の三次元画像である請求項９に記載の照明ユニット。
【請求項１２】
前記コントローラが、更に、前記ターゲット面の推定された前記ルクスに基づいて、前記照明ユニットのパラメータを変更するよう構成される請求項９に記載の照明ユニット。
【請求項１３】
照明環境内のターゲット面を照明するよう構成されるシステムであり、
光源及びコントローラを含む照明ユニットと、
前記ターゲット面の複数の位置の光強度を検出するよう構成される光センサと、
前記照明環境のパラメータを検出するよう構成されるセンサと、
検出された前記パラメータを用いて、前記光源と前記ターゲット面との間の前記照明環境内に位置する障害物を検出するよう構成されるセンサとを有するシステムであって、
前記コントローラが、前記照明環境の前記検出されたパラメータ、及び検出された前記障害物に基づいて、複数の前記光強度のサブセットを選択し、選択された前記光強度のサブセットを用いて、前記ターゲット面のルクスを推定するよう構成されるシステム。
【請求項１４】
前記コントローラが、更に、前記ターゲット面の推定された前記ルクスに基づいて、前記照明ユニットのパラメータを変更するよう構成される請求項１３に記載の照明システム。
【発明の詳細な説明】
【技術分野】
【０００１】
本開示は、広くは、照明環境内のターゲット面の照明の特性を明らかにするための方法及びシステムを対象とする。
【背景技術】
【０００２】
センサ駆動照明ユニットは、センサを用いて環境の特性をモニタし、センサデータを利用して照明ユニットの光源を制御する。センサ駆動照明ユニットの最も一般的な例は、周囲光レベルを測定する統合フォトセルを用いて光レベルをモニタするシステムである。例えば、常夜灯は、周囲光レベルが減少するときにはオンにし、周囲光レベルが増加するときはオフにするために、周囲光を用いる。同様に、スマート街路照明は、検出される周囲光を用いて、光源をオン及びオフにすべきときを決定する。ほとんどの場合、周囲光の状況を観察するために、空に向けられたフォトセルによって光レベルがモニタされる。フォトセルがどの方向に向けられるか、又は光レベルモニタリングのためにどの面又はエリアが利用されるかは、主に製品設計によって決定される。ほとんどのデバイスにおいては、周辺光レベルがモニタされる面又はエリアと、照明されるべきターゲット面との間には関係性がない。
【０００３】
更に、従来のセンサ駆動照明ユニットにおいて利用される１つ又は複数のフォトセルは、照明されたターゲット面の空間光分布を供給することができない。それ故、これらのシステムは、検出された全ての入射光を単一の値にまとめる。結果として、照明ユニットは、樹木の上部、光ビーム中を移動する物体、及び例えば、ターゲット面上に又はターゲット面の近くに影を落とし得る他の物理的障害物などの障害物から反射される光によって悪影響を及ぼされ得る。従って、従来のセンサ駆動照明ユニットは、準最適な光レベルモニタリングを供給し、それによって、システム性能の低下をもたらす。
【発明の概要】
【発明が解決しようとする課題】
【０００４】
従って、より正確な光プロファイル（light profile）を供給するために、照明環境内のターゲット面の照明を測定すると共に、前記照明の特性を明らかにする方法及びシステムが当技術分野において引き続き必要とされている。
【課題を解決するための手段】
【０００５】
本開示は、照明環境内のターゲット面の照明を測定するための本発明の方法及び装置を対象とする。本明細書の様々な実施例及び実施形態は、前記ターゲット表面の複数の部分の光強度を測定する露出計（light meter）を備える照明ユニットを対象とする。前記照明環境の１つ以上のパラメータの特性を明らかにするために、カメラ、飛行時間カメラ、マルチスペクトル撮像装置、占有センサ、熱探知カメラ（thermal imager）及び／又はマイクなどの別のセンサが利用される。前記照明ユニットは、次いで、特性を明らかにされた前記照明環境に基づいて、測定された前記光強度のサブセットを選択し、その情報を利用して、前記ターゲット面のより正確なルクスを推定する。これは、前記光プロファイルに影響を及ぼし得る前記照明環境内の影、障害物、占有者、及び他の要素を取り除く。更に、前記照明ユニットは、次いで、より正確なルクス推定値を利用して、前記照明ユニットの光源によって発せられる光の１つ以上の特性を調節し得る。
【０００６】
広くは、或る態様においては、照明環境内のターゲット面の照明ユニットによる照明を測定するための方法が、前記照明ユニットの光源で、前記ターゲット面を照明するステップと、光センサで、前記ターゲット面の複数の位置の光強度を検出するステップと、前記照明環境のパラメータを検出するステップと、前記照明ユニットのコントローラによって、前記照明環境の検出された前記パラメータに基づいて、複数の前記光強度のサブセットを選択するステップと、選択された前記光強度のサブセットを用いて、前記ターゲット面のルクスを推定するステップとを含む。
【０００７】
実施例によれば、前記照明環境の前記パラメータは、第２センサによって検出される。
【０００８】
実施例によれば、前記検出されたパラメータは、前記光源と反射面との間の距離である。
【０００９】
実施例によれば、前記検出されたパラメータは、前記照明環境の少なくとも一部の二次元画像である。
【００１０】
実施例によれば、前記検出されたパラメータは、前記照明環境の少なくとも一部のマルチスペクトル画像である。
【００１１】
実施例によれば、前記検出されたパラメータは、前記照明環境の少なくとも一部の三次元画像である。
【００１２】
実施例によれば、前記方法は、前記検出されたパラメータを用いて、前記光源と前記ターゲット面との間の前記照明環境内に位置する障害物を検出するステップを含み、前記コントローラは、前記複数の光強度の前記サブセットを選択するよう構成される。
【００１３】
実施例によれば、前記方法は、前記ターゲット面の推定された前記ルクスに基づいて、前記照明ユニットのパラメータを調節するステップを更に含む。
【００１４】
実施例によれば、前記検出されたパラメータは、前記照明環境内の占有者であり、前記コントローラは、検出された前記占有者についての情報に少なくとも部分的に基づいて前記複数の光強度の前記サブセットを選択するよう構成される。
【００１５】
実施例によれば、前記検出されたパラメータは、前記照明環境の少なくとも一部のサーモグラムである。
【００１６】
実施例によれば、前記検出されたパラメータは、前記照明環境内の音である。
【００１７】
広くは、別の態様においては、照明環境内のターゲット面を照明するよう構成される照明ユニットが、光源と、前記ターゲット面の複数の位置の光強度を検出するよう構成される光センサと、前記照明環境のパラメータを検出するよう構成されるセンサと、前記照明環境の検出された前記パラメータに基づいて、複数の前記光強度のサブセットを選択し、選択された前記光強度のサブセットを用いて、前記ターゲット面のルクスを決定するよう構成されるコントローラとを含む。
【００１８】
広くは、別の態様においては、照明環境内のターゲット面を照明するよう構成される照明システムが、光源及びコントローラを有する照明ユニットと、前記ターゲット面の複数の位置の光強度を検出するよう構成される光センサと、前記照明環境のパラメータを検出するよう構成されるセンサとを含み、前記コントローラは、前記照明環境の検出された前記パラメータに基づいて、複数の前記光強度のサブセットを選択し、選択された前記光強度のサブセットを用いて、前記ターゲット面のルクスを推定するよう構成される。
【００１９】
本開示の目的のために本明細書で用いられているような「LED」という用語は、電気信号に応じて放射線を生成することができるあらゆるエレクトロルミネッセンスダイオード又は他のタイプのキャリア注入／ジャンクションベースのシステムを含むと理解されるべきである。従って、LEDという用語は、電流に応じて光を発する様々な半導体ベースの構造、発光ポリマ、有機発光ダイオード（OLED）及びエレクトロルミネッセンスストリップなどを含むが、これらに限定されない。LEDという用語は、とりわけ、赤外線スペクトル、紫外線スペクトル、及び（一般に、約４００ナノメートルから約７００ナノメートルまでの放射線波長を含む）可視スペクトルの様々な部分のうちの１つ以上において放射線を生成するよう構成され得る（半導体及び有機発光ダイオードを含む）全てのタイプの発光ダイオードを指す。LEDの幾つかの例は、様々なタイプの赤外線LED、紫外線LED、赤色LED、青色LED、緑色LED、黄色LED、琥珀色LED、橙色LED及び（下で更に記述する）白色LEDを含むが、これらに限定されない。LEDは、所与のスペクトル（例えば、狭帯域幅、広帯域幅）のための様々な帯域幅（例えば、半値全幅、即ち、FWHM）、及び所与の一般的な色分類内の様々な主波長を持つ放射線を生成するよう構成及び／又は制御され得ることも理解されるべきである。
【００２０】
例えば、本質的に白色の光を生成するよう構成されるLEDの或る実施例（例えば、白色LED）は、組み合わせにおいて、本質的に白色の光を形成するよう混ざり合う、異なるスペクトルのエレクトロルミネッセンスを各々発する多くのチップを含み得る。別の実施例においては、白色光LEDは、第１スペクトルを持つエレクトロルミネッセンスを、異なる第２スペクトルを持つエレクトロルミネッセンスに変換する蛍光体材料と関連づけられ得る。この実施の或る例においては、相対的に短い波長及び狭い帯域幅のスペクトルを持つエレクトロルミネッセンスが、蛍光体材料を「励起」し、次に、前記蛍光体材料が、幾らかより広いスペクトルを持つより長い波長の放射線を放射する。
【００２１】
LEDという用語は、LEDの物理的な及び／又は電気的なパッケージのタイプを限定しないことも理解されるべきである。例えば、上に記述したように、LEDは、（個々に制御可能であってもよく、又は個々に制御可能でなくてもよい）各々異なるスペクトルの放射線を発するよう構成される複数のチップを持つ単一の発光デバイスを指してもよい。また、LEDは、前記LEDの一体部分とみなされる蛍光体と関連づけられてもよい（例えば、幾つかのタイプの白色LED）。一般に、LEDという用語は、パッケージLED、非パッケージLED、表面実装LED、チップ・オン・ボードLED、ＴパッケージマウントLED、ラジアルパッケージLED、パワーパッケージLED、何らかのタイプの容器(encasement）及び／又は光学素子（例えば、拡散レンズ）を含むLEDなどを指し得る。
【００２２】
「光源」という用語は、（上で規定されているようなLEDを１つ以上含む）LEDベースの光源、白熱光源（例えば、フィラメントランプ、ハロゲンランプ）、蛍光源、燐光源、高輝度放電源（例えば、ナトリウム蒸気、水銀蒸気及びメタルハライドランプ）、レーザ、他のタイプのエレクトロルミネッセンス源、パイロルミネッセンス源（pyro-luminescent source）（例えば、炎）、キャンドルルミネッセンス源（candle-luminescent source）（例えば、ガスマントル、炭素アーク放射線源）、フォトルミネッセンス源（photo-luminescent source）（例えば、ガス放電源）、電子飽和を用いるカソードルミネッセンス源（cathode luminescent source）、ガルバノルミネッセンス源（galvano-luminescent sources）、クリスタロルミネッセンス源（crystallo-luminescent source）、カイネルミネッセンス源（kine-luminescent source）、熱ルミネッセンス源、トライボルミネッセンス源（triboluminescent source）、ソノルミネッセンス源（sonoluminescent source）、ラジオルミネッセンス源（radioluminescent source）、及びルミネッセンスポリマを含むが、これらに限定されない様々な放射線源のうちの任意の１つ以上を指すと理解されるべきである。
【００２３】
所与の光源は、可視スペクトル内の電磁放射線、可視スペクトル外の電磁放射線、又は両方の組み合わせを生成するよう構成され得る。従って、「光」及び「放射線」という用語は、本明細書では区別なく用いられている。更に、光源は、一体的な構成要素として、１つ以上のフィルタ（例えば、カラーフィルタ）、レンズ、又は他の光学部品を含み得る。また、光源は、指示、表示、及び／又は照明を含むが、これらに限定されない様々な用途のために構成され得ることは理解されるべきである。「照明光源」は、とりわけ、内部空間又は外部空間を効果的に照明するのに十分な強度を持つ放射線を生成するよう構成される光源である。これに関連して、「十分な強度」は、周囲照明（即ち、間接的に知覚され得る光であって、例えば、全体的又は部分的に知覚される前に様々な介在面のうちの１つ以上で反射され得る光）を供給するために空間又は環境において生成される可視スペクトルにおける十分な放射力を指す（放射力又は「光束」に関して、光源から全ての方向への全光出力を表わすために、多くの場合、単位「ルーメン」が用いられる）。
【００２４】
「照明器具」という用語は、本明細書においては、１つ以上の照明ユニットの、特定のフォームファクタ、アセンブリ、又はパッケージにおける実施又は構成を指すために用いられている。「照明ユニット」という用語は、本明細書においては、同じ又は異なるタイプの１つ以上の光源を含む装置を指すために用いられている。所与の照明ユニットは、様々な、前記光源のための取り付け構成、筐体／ハウジング構成及び形状、並びに／又は電気的及び機械的接続構成のうちの任意の１つを有し得る。更に、所与の照明ユニットは、随意に、前記光源の動作に関連する様々な他の構成要素（例えば、制御回路）と関連づけられ得る（例えば、含む、結合される、且つ／又は一緒にパッケージ化される）。「LEDベースの照明ユニット」は、１つ以上の、上記のようなLEDベースの光源を、単独で又は他の非LEDベースの光源と組み合わせて含む照明ユニットを指す。「マルチチャネル」照明ユニットは、各々、異なるスペクトルの放射線を生成するよう構成される少なくとも２つの光源を含むLEDベース又は非LEDベースの照明ユニットを指し、ここで、各々の異なる光源スペクトルは、マルチチャネル照明ユニットの「チャネル」と呼ばれ得る。
【００２５】
様々な実施例において、プロセッサ又はコントローラは、（本明細書においては総称して「メモリ」と呼ばれる、例えば、RAM、PROM、EPROM及びEEPROMのような揮発性及び不揮発性コンピュータメモリ、フロッピー（登録商標）ディスク、コンパクトディスク、光ディスク、磁気テープなどである）１つ以上の記憶媒体と関連づけられ得る。幾つかの実施例においては、前記記憶媒体は、１つ以上のプロセッサ及び／又はコントローラにおいて実行されるときに、本明細書に記述されている機能のうちの少なくとも幾つかを実施する１つ以上のプログラムでコード化され得る。様々な記憶媒体は、プロセッサ又はコントローラ内に取り付けられてもよく、又は前記記憶媒体に記憶されている１つ以上のプログラムが、本明細書に記述されている本発明の様々な態様を実施するためにプロセッサ又はコントローラにロードされ得るような、可搬型のものであってもよい。「プログラム」又は「コンピュータプログラム」という用語は、本明細書においては、１つ以上のプロセッサ又はコントローラをプログラムするために用いられ得るあらゆるタイプのコンピュータコード（例えば、ソフトウェア又はマイクロコード）を指すよう一般的な意味で用いられている。
【００２６】
或るネットワークの実施例においては、ネットワークに結合される１つ以上のデバイスが、（例えば、マスタ／スレーブの関係で）前記ネットワークに結合される１つ以上の他のデバイスのためのコントローラとしての役割を果たし得る。別の実施例においては、ネットワーク化された環境は、前記ネットワークに結合される前記デバイスのうちの１つ以上を制御するよう構成される１つ以上の専用のコントローラを含み得る。一般に、前記ネットワークに結合される複数のデバイスは、各々、１つ又は複数の通信媒体上に存在するデータにアクセスでき得るが、所与のデバイスは、前記所与のデバイスが、例えば、前記所与のデバイスに割り当てられる１つ以上の特定の識別子（例えば、アドレス）に基づいて、選択的に、前記ネットワークとデータを交換する（即ち、前記ネットワークからデータを受信する、且つ／又は前記ネットワークにデータを送信する）よう構成されるという点で、「アドレス指定可能」であり得る。
【００２７】
本明細書において用いられているような「ネットワーク」という用語は、前記ネットワークに結合される任意の２つ以上のデバイスの間及び／又は複数のデバイス間の（例えば、デバイスの制御、データの記憶、データの交換などのための）情報の輸送を容易にする（コントローラ又はプロセッサを含む）２つ以上のデバイスのあらゆる相互接続を指す。容易に理解されるように、複数のデバイスを相互接続するのに適したネットワークの様々な実施例は、様々なネットワークトポロジのうちのいずれかを含むことができ、様々な通信プロトコルのうちのいずれかを用い得る。更に、本開示による様々なネットワークにおいて、２つのデバイス間のいずれか１つの接続は、２つのシステムの間の専用の接続であってもよく、又は他の例においては、非専用接続であってもよい。このような非専用接続は、前記２つのデバイス用の情報を運ぶのに加えて、必ずしも前記２つのデバイスのいずれか用ではない情報を運び得る（例えば、オープンネットワーク接続）。更に、本明細書において記述されているようなデバイスの様々なネットワークは、前記ネットワーク全体にわたる情報輸送を容易にするために、１つ以上の無線、ワイヤ／ケーブル、及び／又は光ファイバリンクを用い得ることは容易に理解されるだろう。
【００２８】
上記の概念及び下でより詳細に記述する更なる概念の（このような概念が互いに矛盾しない場合には）全ての組み合わせが、本明細書に開示されている本発明の対象の一部であると考えられていることは理解されるべきである。とりわけ、この開示の最後にある請求項記載の対象の全ての組み合わせは、本明細書に開示されている本発明の対象の一部であると考えられている。参照により盛り込まれているいずれかの開示に出現している場合もある、本明細書において明示的に用いられている専門用語は、本明細書に開示されている特定の概念と最も一致する意味を与えられるべきであることも理解されるべきである。
【図面の簡単な説明】
【００２９】
図面においては、様々な図にわたって、同様の参照符号は、概して、同じパーツを指す。また、図面は、必ずしも、縮尺通りではなく、その代わりに、概して、本発明の原理を説明することに重点が置かれている。
【図１】実施例による照明ユニットの概略図である。
【図２】実施例による照明システムの概略図である。
【図３】実施例による、照明環境内のターゲット面の照明を測定するための方法のフローチャートである。
【発明を実施するための形態】
【００３０】
本開示は、照明されるターゲット面のルクスをより正確に推定するよう構成される照明ユニットの様々な実施例を記載する。より広くは、本出願人は、ターゲット面の光強度を測定すると共に、障害物、影、占有者の存在、及び照明環境の他の要素などの照明環境の別の特性を測定する照明ユニット、器具、又はシステムを提供することは有益であることを認識及び理解した。本開示の或る特定の実施例の利用の特定の目標は、ターゲット面のより正確なルクスを生成するためにターゲット面の邪魔のない部分からの光強度を選択することである。
【００３１】
上記のことを考慮して、様々な実施例及び実施形態は、ターゲット面の複数の部分の光強度を測定する露出計を備える照明ユニット又はシステムを対象とする。照明環境の１つ以上のパラメータの特性を明らかにするために、二次元及び／若しくは三次元画像を撮影することができるカメラ、飛行時間カメラ、マルチスペクトル撮像装置、占有センサ、熱探知カメラ、並びに/又はマイクなどの別のセンサが利用される。照明ユニットは、次いで、特性を明らかにされた前記照明環境に基づいて、測定された光強度のサブセットを選択し、その情報を利用して、ターゲット面のより正確なルクスを推定する。
【００３２】
図１を参照すると、或る実施例においては、１つ以上の光源１２を含む照明ユニット１０が提供され、光源のうちの１つ以上はLEDベースの光源であり得る。更に、LEDベースの光源は、１つ以上のLEDを有し得る。光源は、１つ以上の光源ドライバ２４によって所定の特性（即ち、色の強さ、色温度）の光を発するよう駆動され得る。照明ユニット１０においては、様々な異なる色の放射線を生成するよう適応される多くの異なる数及び様々なタイプの光源（全てのLEDベースの光源、単独の非LEDベースの光源、又はLEDベースの光源及び非LEDベースの光源の組み合わせなど）が用いられ得る。実施例によれば、照明ユニット１０は、常夜灯、街路灯、テーブルランプ、又は任意の他の屋内若しくは屋外照明器具を含むが、これらに限定されないあらゆるタイプの照明器具であり得る。
【００３３】
実施例によれば、照明ユニット１０は、１つ以上の光源１２ａ乃至１２ｄを駆動し、光源からの様々な強度、方向及び／又は色の光を生成するための１つ以上の信号を出力するようコンフィグレーション又はプログラムされるコントローラ２２を含む。例えば、コントローラ２２は、各光源によって生成される光の強度及び／若しくは色を独立に制御するために、又は光源のグループを制御するために、又は全ての光源を一緒に制御するために、各光源のための制御信号を生成するようプログラム又はコンフィグレーションされてもよい。別の態様によれば、コントローラ２２は、光源の強度を変化させるように光源を制御する光源ドライバ２４などの他の専用回路を制御してもよい。コントローラ２２は、例えば、本明細書に記述されている様々な機能を実施するようソフトウェアを用いてプログラムされたプロセッサ２６であってもよく、又は前記プロセッサ２６を有してもよく、メモリ２８と組み合わせて利用されてもよい。メモリ２８は、プロセッサ２６による実行のための１つ以上の照明コマンド又はソフトウェアプログラムを含むデータ、及びその照明ユニットのための特定の識別子を含むがこれに限定されない様々なタイプのデータを記憶することができる。例えば、メモリ２８は、プロセッサ２６によって実行可能であり、システムに、本明細書に記載されている方法の１つ以上のステップを実行させる命令のセットを含む非一時的なコンピュータ可読記憶媒体であってもよい。
【００３４】
コントローラ２２は、後で詳細に説明するように、とりわけ、周囲光の状況などの、所定のデータに基づいて、光源１２の強度及び／又は色温度を光源ドライバ２４に調節させるよう、プログラム、構成及び／又はコンフィギュレーションされ得る。或る実施例によれば、コントローラ２２は、無線通信モジュール３４によって受信される通信に基づいて、光源１２の強度及び／又は色温度を光源ドライバ２４に調整させるよう、プログラム、構成及び／又はコンフィギュレーションされることもできる。
【００３５】
照明ユニット１０は、電源３０、最も典型的にはAC電源も含むが、とりわけ、DC電源、太陽をベースにした電源、又は機械をベースにした電源を含む他の電源も可能である。電源は、外部電源から受け取った電力を照明ユニットによって使用可能である形態に変換する電源変換器と動作可能通信をし得る。照明ユニット１０の様々な構成要素に電力を供給するために、それは、外部AC電源３０からAC電力を受け取り、前記AC電力を、照明ユニットの構成要素に給電する目的のための直流に変換するAC/DCコンバータ（例えば、整流回路）も含み得る。更に、照明ユニット１０は、AC/DCコンバータとの接続を介して再充電され、AC電源３０への回路が開いているときにコントローラ２２及び光源ドライバ２４に電力を供給することができる再充電可能なバッテリ又はコンデンサなどのエネルギ蓄積デバイスを含み得る。
【００３６】
更に、照明ユニット１０は、コントローラ２２の入力に接続され、照明ユニット１０の近くで周囲光データを収集し、収集した周囲光データを表すデータを、コントローラ２２に又は無線通信モジュール３４を介して外部に送信することができる露出計などの光センサ３２を含み得る。図２において図示されているシステム２００のような幾つかの実施例においては、センサ３２は、照明ユニット１０から離れており、得られたセンサデータを照明ユニットの無線通信モジュール３４に送信する。無線通信モジュール３４は、例えば、コントローラ２２と通信するように配置されるWi-Fi、Bluetooth（登録商標）、IR、無線、若しくは近距離通信であってもよく、又は他の例においては、コントローラ２２は、無線通信モジュールと一体化され得る。
【００３７】
実施例によれば、照明ユニット１０は、とりわけ、二次元及び／若しくは三次元画像を撮影することができるカメラ、飛行時間カメラ、マルチスペクトル撮像装置、占有センサ、熱探知カメラ、無線周波数センサ、並びに／又はマイクなどの、第２センサ３８を含む。センサ３８は、コントローラ２２の入力に接続され、照明環境１００内のターゲット面５０についての情報を収集し、収集した情報を表すデータを、コントローラ２２に又は無線通信モジュール３４を介して外部に送信することができる。図２において図示されているシステム２００のような幾つかの実施例においては、センサ３８は、照明ユニット１０から離れており、得られたセンサデータを照明ユニットの無線通信モジュール３４に送信する。無線通信モジュール３４は、例えば、コントローラ２２と通信するように配置されるWi-Fi、Bluetooth（登録商標）、IR、無線、若しくは近距離通信であってもよく、又は他の例においては、コントローラ２２は、無線通信モジュールと一体化され得る。
【００３８】
実施例によれば、第１センサ３２及び第２センサ３８は、２つのセンサが１つ以上の動作目標を達成することができるように互いに対して空間配置される。これは、照明環境内の、第２センサ３８が情報を取得する領域が、露出計の空間観察窓と共局在化される又は同じ広がりを持つことを確実にする。例えば、第２センサが飛行時間カメラである場合には、飛行時間カメラは、照明環境内の、露出計が情報を取得している領域、エリア又は面と同じ領域、エリア又は面についての情報を取得するよう方向付けられなければならない。
【００３９】
図１においては、第１センサ３２及び第２センサ３８は、別々のセンサとして図示されているが、当業者は、両方の検出機能を実施する単一のセンサが存在し得ることを認識するだろう。実施例によれば、第１センサ３２及び第２センサ３８は、ただ１つのカメラ、又は単一の飛行時間カメラである。この実施例においては、カメラは、照明環境内のターゲット面についての情報を同時に及び／又はシーケンシャルに収集しながら、光強度検出を実施するよう構成されるだろう。
【００４０】
更に、当業者は、センサは１つ以上のデータ収集ユニットを含み得ることを認識するだろう。第１センサ３２及び第２センサ３８のいずれか、又は第１センサ３２及び第２センサ３８の機能が１つのセンサによって実施される場合には単一のセンサが、１つ以上のデータ収集ユニットを有してもよい。一例として、第１センサ３２は、２つ以上の露出計を含み得る。別の例として、第２センサ３８は、とりわけ、２つ以上のカメラ、２つ以上の飛行時間カメラ、２つ以上のマルチスペクトル撮像装置、２つ以上の占有センサ、２つ以上の熱探知カメラ、及び／又は２つ以上のマイクを含み得る。更に、センサは、カメラ、マイク、及び受動型赤外線センサなどの２つ以上のセンサの組み合わせを含み得る。組み合わされたセンサは、単一のユニットであってもよく、又は照明ユニット１０のプロセッサと通信する複数のユニットであってもよい。ほんの一例として、マイクセンサは、検出されるノイズとの空間的微調整を可能にするための２つ以上のマイクのアレイを含み得る。
【００４１】
図２を参照すると、或る実施例においては、照明ユニット１０を含む照明システム２００が提供される。照明ユニット１０は、本明細書において記載されている又は想定されている実施例のいずれかであってもよく、とりわけ、１つ以上の光源１２、光源ドライバ２４、コントローラ２２、及び無線通信モジュール３４などの、図１に関連して記載されている照明ユニットの構成要素のいずれかを含み得る。照明システム２００は、とりわけ、センサ３２、センサ３８、及び無線通信モジュール３６を含む検出部品１４も含む。無線通信モジュール３４及び３６は、例えば、互い及び／又は無線デバイス６０と通信するように配置されるWi-Fi、Bluetooth（登録商標）、IR、又は近距離通信であってもよく、無線デバイス６０は、例えば、とりわけ、ネットワーク、コンピュータ、サーバ、又はハンドヘルドコンピューティングデバイスであり得る。
【００４２】
図３は、実施例による、照明環境内のターゲット面の照明を測定するための方法３００を図示しているフローチャートである。ステップ３１０においては、照明ユニット１０が設けられる。照明ユニット１０は、本明細書において記載されている又は想定されている実施例のいずれかであってもよく、とりわけ、１つ以上の光源１２、光源ドライバ２４、コントローラ２２、光センサ３２、センサ３８、及び無線通信モジュール３４などの、図１及び２に関連して記載されている照明ユニットの構成要素のいずれかを含み得る。実施例によれば、照明ユニット１０は、ターゲット面５０の全部又は一部を照明するように構成される。
【００４３】
方法のステップ３２０においては、照明ユニットが、ターゲット面５０の全部又は一部を照明する。或る実施例によれば、照明ユニットは、道路照明器具又は他の屋外照明器具であり、車道又は歩道などのターゲット面を照明するよう構成される。街路灯は、例えば、夕暮れから夜明けの間、車道又は歩道を照明するよう構成され得る。従って、光センサ３２又は何らかの他のセンサは、例えば、周囲光レベルを検出することができ、所定の閾値に基づいて、光源を起動及び停止させることができる。
【００４４】
方法のステップ３３０においては、光センサ３２が、ターゲット面５０内及び／又は照明環境１００内の多くの異なる位置の光強度を検出する。光センサは、例えば、光強度を測定することが可能な任意の光センサであり得る。光センサは、光強度情報をコントローラ２２に伝達し、前記情報は、コントローラ２２において、分析され得る、且つ／又はメモリ２８内に記憶され得る。或る実施例によれば、光センサは、絶え間なくセンサデータを取得する。別の実施例によれば、光センサは、多数ある時間周期の中で特に、毎分１回又は毎分複数回のような、周期的にセンサデータを取得する。
【００４５】
方法のステップ３４０においては、照明ユニットが、第２センサ３８で、照明環境のパラメータを検出する。実施例によれば、照明環境は、照明ユニットの１つ以上の光源によって生成される光プロファイルに影響を及ぼし得る１つ以上の障害物５２又は他の物体、構造若しくは要素を含み得る。例えば、図１及び図２においては、照明環境は、光路内の、光源とターゲット面との間に位置する障害物５２を含み、このことは、ターゲット面に影をもたらす。光センサが、これらの影を検出し、コントローラが、ターゲット面及び／又は照明環境のルクスを推定するときにターゲット面の影になっている領域を考慮に入れる場合には、ルクス推定値は悪影響を及ぼされるだろう。例えば、影によって平均ルクスが下げられることから、システムは、光プロファイルが暗すぎると決定するおそれがある。
【００４６】
別の実施例によれば、第２センサ３８は飛行時間カメラである。飛行時間センサ又はカメラは、照明環境からの反射光を受け取り、照明ユニットの光源によって送られた光と、受け取られた光との間の位相を測定する。センサ又はコントローラは、次いで、平面フィッテイング（plane-fitting）又は他の分析方法を用いて、センサとターゲット面との間の自由空間を決定することができる。実施例によれば、位相測定値及び距離データの精度は、照明環境内の物体又は面の反射率及び照度に依存する。更に、センサは、太陽によって発せられる近赤外スペクトルも検出することができる。照明環境内にターゲット面と非ターゲット面との両方を有する街路灯の例においては、飛行時間センサは、ターゲット面と非ターゲット面との間の異なる光学特性を検出し、斯くして、ターゲット面と非ターゲット面との間の異なる距離を検出するだろう。照明ユニット又は照明システムは、飛行時間センサデータを利用して、永久に又は一時的に照明ユニットとターゲット面との間に位置する、樹木、人又は他の物体などの障害物を検出することができる。或る実施例によれば、飛行時間センサはまた、照明ユニットの、ターゲット面からの高さをモニタし、それによって、嵐の間の動き、又は街路灯の場合における、街路灯又はその支持構造物が地面に落ちた状況のような、照明ユニットの高さ及び向きの変化を検出するために利用され得る。
【００４７】
実施例によれば、第２センサ３８はマルチスペクトル撮像装置である。マルチスペクトル撮像装置は、電磁スペクトルにわたって２つ以上の特定の周波数において画像データを取り込む。マルチスペクトル撮像装置は、１つ以上のフィルタで波長を分離することができる、又は各々が異なる１つ又は複数の波長に敏感な２つ以上のセンサを用いることができる。街路灯又は屋外照明器具の例においては、マルチスペクトル撮像装置は、ターゲット面と非ターゲット面との両方を含み得る照明環境のマルチスペクトル画像を取得する。マルチスペクトル画像は、例えば、画像内の、ターゲット面である１つ又は複数の領域、及びもしあれば、非ターゲット面である１つ又は複数の領域を識別するために分析されることができる。
【００４８】
或る実施例によれば、第２センサ３８は熱探知カメラである。熱探知カメラは、照明環境内の１つ以上の場所の熱画像又はサーモグラムを取り込み、画像は、照明ユニット又はシステムによって、環境の状況を決定するために利用される。例えば、人及び電子デバイスなどの物体は、それらが熱画像内で識別されることを可能にする熱的特徴を持つだろう。自然光を用いた照明環境においては、熱画像は、日光に起因する熱領域を検出するために利用されることができる。照明環境内の他の活動又は物体も、同様に、識別され得る、及び／又は特性を明らかにされ得る。
【００４９】
別の実施例によれば、第２センサ３８は占有センサである。占有センサは、典型的には、赤外線センサ、超音波センサ、及び／又はマイクロ波センサを用いて占有者を検出する。照明ユニット又はシステムは、現在の占有率又は時間をかけて作成された占有率マップのいずれかを用いて、照明環境内の、占有者によって影響を及ぼされる領域、及び占有者によって決して又はめったに影響を及ぼされない領域を識別することができる。
【００５０】
或る実施例によれば、第２センサ３８は無線周波数センサである。無線周波数センサは、多数ある可能性の中で特に、局在モバイルデバイスの領域内のピクセルを排除するために、１つ以上のモバイルデバイスの有無を決定し、その位置を三角測量することができる。多くの他のオプションも可能である。
【００５１】
更に別の実施例によれば、第２センサ３８はマイクである。マイクは、人又は他の物体が照明環境内に存在することをシステムに知らせる音声データを取得することができる。２つ以上のマイクのマイクアレイは、照明環境内の人又は物体の位置を概算するためにも利用されることができる。１つの実施例として、部屋又は空間が、例えば50dBのような或る特定のレベルを超えるノイズレベルを経験することは、部屋又は空間内の占有率及び／又は活動を示すだろう。システムは、それに応じて、次いで、多数ある本明細書において記載されている又は想定されている可能な動作の中で特に、その空間における光強度測定を一時的に中断するなどの所定の一連の動作を実行することができる。
【００５２】
方法のステップ３５０においては、照明ユニットが、照明環境の検出されたパラメータに基づいて、複数の光強度のサブセットを選択する。１つの実施例として、照明ユニット又はシステムは、第２センサからのデータを分析して、好ましいターゲット領域を決定し、コントローラに、更なる分析のためにはその領域からの光センサデータしか利用しないよう指示する。別の例として、照明ユニットは、第２センサからのデータを分析して、強度データを取得するのに適しているターゲット領域を決定することができ、光センサに、識別されたターゲット領域のみについての情報を取得するよう指示することができる。
【００５３】
第２センサ３８がカメラである実施例によれば、カメラによって取得される画像データは、照明環境内の空間光分布を決定するために分析されることができる。例えば、前記データは、照明環境内の、車道又は歩道などのターゲット面、及び芝生、樹木、人、影、又は何らかの他の面若しくは物体などの非ターゲット面を決定するために利用されることができる。ターゲット領域は、カメラ画像を見直し、画像から、モニタされるべき領域を決定することによって、手動で選択されることができる、又はターゲット領域は、照明ユニット又はシステムのコントローラによって選択されることができる。
【００５４】
カメラ又は他の撮像装置によって取得された二次元又は三次元画像は、例えば、撮像されたシーンの視覚表示を表示、伝達又は表現するために分析又は処理されることができる。他の例においては、カメラ又は他の撮像装置によって取得された画像は、画像内の１つ以上の面又は物体の特定の強度などの、より多くの画像特有の情報を表示、伝達又は表現するために分析又は処理されることができる。分析又は描写される強度は、紫外線から、可視、赤外線、近赤外線、遠赤外線までの、光スペクトルの任意の部分であり得る。
【００５５】
第２センサ３８が飛行時間センサである実施例によれば、センサデータは、照明環境内の、センサとターゲット面との間に障害物がない領域を検出するために分析されることができる。例として街路灯を用いると、照明ユニット又はシステムのコントローラは、樹木の枝、歩行者、又は自動車などの障害物がどこにあるかを決定することができ、照明環境内の、障害物によって影響を及ぼされず、斯くして、ターゲット面のルクスをより正確に推定するために利用され得る１つ又は複数の領域を決定することができる。
【００５６】
第２センサ３８がマルチスペクトル撮像装置である実施例によれば、センサデータは、例えば、画像内の、ターゲット面である１つ又は複数の領域、及びもしあれば、異なる光学特性を持つだろう非ターゲット面である１つ又は複数の領域を識別するために分析されることができる。
【００５７】
第２センサ３８が熱探知カメラである実施例によれば、センサデータは、照明環境内の、とりわけ、人々、電子デバイス、及び日光を受ける面などの高い温度測定値を有する領域を検出するために分析されることができる。照明ユニット又はシステムのコントローラは、高い温度測定値を有するこれらの非ターゲット領域を識別し、識別された非ターゲット領域以外のエリアからの光センサデータしか利用しないだろう、又は光センサに、識別された非ターゲット領域以外のエリアからのセンサデータしか取得しないよう指示するだろう。
【００５８】
第２センサ３８が、占有センサ、又は占有センサデータから作成された占有率マップである実施例によれば、占有率情報又はマップは、照明環境内の、占有者によって影響を及ぼされる領域、及び／又は照明環境内の、占有者によって影響を及ぼされない領域を検出するために利用されることができる。照明ユニット又はシステムのコントローラは、占有者によって影響を及ぼされない領域を識別し、これらの識別された領域からの光センサデータしか利用しないだろう、又は光センサに、これらの識別された領域からのセンサデータしか取得しないよう指示するだろう。
【００５９】
第２センサ３８がマイクである実施例によれば、マイクは、照明環境内の、占有率を決定することができる、又は人若しくは他の物体の位置を決定することができる。照明ユニット又はシステムのコントローラは、この情報を用いて、強度解析のためのターゲット領域を識別するだろう。
【００６０】
ステップ３６０においては、照明ユニットコントローラが、選択された光強度のサブセットを用いて、ターゲット面の照度又はルクスを推定する。選択された光強度のサブセットは、例えば、光強度分析のために適切な邪魔のない又は低い温度の領域が選択された後に、光センサによって取得されてもよく、又は既存の光強度のセットから分離されてもよい。例えば、照明ユニットが、街路灯であり、カメラが、邪魔のない部分又は歩道をターゲット面として検出している例においては、コントローラは、画像内の、ターゲット面内にあるピクセルだけを用いてルクスを決定することができる。別の実施例によれば、コントローラは、光センサに、識別されたターゲット領域からしか新たな強度を取得しないよう指示する。識別されたターゲット面の照度は、多くの方法のうちのいずれかを用いて、推定されることができる。前記照度は、識別されたターゲット面内の１つ以上のピクセル若しくは領域を選択することによって決定されることができる、又は識別されたターゲット面内の複数のピクセル若しくは領域の測定された強度を平均することによって決定されることができる。実施例によれば、システムは、ターゲット面のルクスを推定する、且つ／又は識別されたターゲット面のルクス推定値を照明環境全体に適用する。
【００６１】
方法の随意のステップ３７０においては、コントローラが、取得されたルクス情報を利用して、照明ユニット又はシステムによって発せられる光プロファイルを調節する又は適応させる。実施例によれば、コントローラは、１つ以上の光源のビーム幅、角度、及び／又は強度を調節することができる。例えば、コントローラは、照明環境内で検出された影を取り除くよう１つ以上の光源を調節することができる。この情報は、誤トリガの影響を減らすために１つ以上の他のセンサの感度及び／又は性能を制御するために利用されることもできる。同様に、前記情報は、システムが制御する照明環境の特徴、パラメータ、又は特性を変更するために利用されることができる。例えば、コントローラは、ブライドに、開ける若しくは閉じるよう指示することができる、又は照明環境内の物体に、或る場所から別の場所へ移動するよう指示することができる。
【００６２】
本明細書には幾つかの本発明の実施例が記載及び図示されているが、当業者は、本明細書に記載されている機能を実施するための、並びに／又は本明細書に記載されている利点のうちの１つ以上及び／若しくは本明細書に記載されている結果を得るための、様々な他の手段及び／又は構造を容易に案出するだろう。このような変形例及び／又は修正例の各々は、本明細書に記載されている本発明の実施例の範囲内にあるとみなされる。更に一般的に言えば、当業者は、本明細書に記載されている全てのパラメータ、寸法、材料及びコンフィギュレーションが、例示的なものであるよう意図されており、実際のパラメータ、寸法、材料及びコンフィギュレーションは、本発明の教示が用いられる１つ又は複数の特定のアプリケーションに依存するだろうことを、容易に理解するだろう。当業者は、本明細書に記載されている特定の本発明の実施例と同等の多くの実施例を、理解するだろう、又は単なるルーチン実験を用いて把握することができるだろう。それ故、上記の実施例は、ほんの一例として提示されているに過ぎず、添付の請求項及びそれらと同等のものの範囲内で、本発明の実施例が、詳細に記載されているもの及び請求項記載のものとして以外に実施され得ることは、理解されるべきである。本開示の本発明の実施例は、本明細書に記載されている個々の特徴、システム、物、材料、キット及び／又は方法を対象にしている。更に、２つ以上のこのような特徴、システム、物、材料、キット及び／又は方法の如何なる組み合わせも、このような特徴、システム、物、材料、キット及び／又は方法が互いに矛盾しない場合には、本開示の本発明の範囲内に含まれる。
【００６３】
本明細書において規定及び使用されているような全ての定義は、辞書的定義、参照により盛り込まれる文書における定義、及び／又は規定されている用語の通常の意味にわたって制御するよう理解されるべきである。
【００６４】
ここで、明細書及び請求項において用いられているような不定冠詞「a」及び「an」は、明らかにそれとは反対の指示がない限り、「少なくとも１つの」を意味すると理解されるべきである。
【００６５】
ここで、明細書及び請求項において用いられているような「及び／又は」という表現は、そのように等位接続されている要素の「いずれか又は両方」、即ち、幾つかの場合には、連言的に存在し、他の場合には、選言的に存在する要素を意味すると理解されるべきである。「及び／又は」を用いて列挙されている複数の要素は、同じように解釈されるべきであり、即ち、そのように等位接続されている要素のうちの「１つ以上」と解釈されるべきである。「及び／又は」節によって明確に特定されている要素以外の他の要素は、明確に特定されているそれらの要素と関係があるかないかにかかわらず、随意に存在し得る。従って、非限定的な例として、「Ａ及び／又はＢ」への言及は、「有する」などの非制限言語と共に用いられる場合、或る実施例においては、（随意にＢ以外の要素を含む）Ａのみを指し、別の実施例においては、（随意にＡ以外の要素を含む）Ｂのみを指し、更に別の実施例においては、（随意に他の要素を含む）ＡとＢとの両方を指すことなどができる。
【００６６】
ここで、明細書及び請求項において用いられているような「又は」は、上で規定されているような「及び／又は」と同じ意味を持つよう理解されるべきである。例えば、リストにおいてアイテムを分ける場合、「又は」又は「及び／又は」は、多くの要素又はリストの要素、及び随意に、付加的な、リストに載っていないアイテムを含んでいると解釈されるべきであり、即ち、それらのうちの少なくとも１つを含んでいる解釈されるべきであるが、それらのうちの２つ以上を含んでいるとも解釈されるべきである。「〜のうちの１つだけ」若しくは「〜のうちのちょうど１つ」、又は請求項において用いられる場合の「〜から成る」などの、明らかにそれとは反対の指示がなされている用語だけが、多くの要素又はリストの要素のうちのちょうど１つの要素を含んでいることを指すだろう。一般に、ここで用いられているような「又は」という用語は、「いずれか」、「〜のうちの１つ」、「〜のうちの１つだけ」又は「〜のうちのちょうど１つ」などの排他性の用語が先立つ場合にしか、排他的な選択肢（即ち、「一方又は他方であり、両方ではない」）を示すと解釈されるべきではない。請求項において用いられる場合の「本質的に〜から成る」は、特許法の分野において用いられるようなその通常の意味を持つだろう。
【００６７】
ここで、明細書及び請求項において用いられているような、１つ以上の要素のリストに関する「少なくとも１つ」という表現は、要素のリストの中の要素の任意の１つ以上から選択される少なくとも１つの要素を意味するが、必ずしも、要素のリストの中で明確に列挙されている要素１つ１つのうちの少なくとも１つを含むとは限らず、要素のリストの中の要素の如何なる組み合わせも除外しないと理解されるべきである。この定義も、「少なくとも１つ」という表現が指す要素のリストの中で明確に特定されている要素以外の要素が、明確に特定されているそれらの要素と関係があるかないかにかかわらず、随意に存在し得ることを許容する。従って、非限定的な例として、「Ａ及びＢのうちの少なくとも１つ」（換言すれば、「Ａ又はＢのうちの少なくとも１つ」、換言すれば、「Ａ及び／又はＢのうちの少なくとも１つ」）は、或る実施例においては、Ｂが存在しない状態での、（随意にＢ以外の要素を含む、）随意に１つより多くＡを含む、少なくとも１つのＡを指し、別の実施例においては、Ａが存在しない状態での、（随意にＡ以外の要素を含む、）随意に１つより多くのＢを含む、少なくとも１つのＢを指し、更に別の実施例においては、（随意に他の要素を含む、）随意に１つより多くのＡを含む、少なくとも１つのＡ、及び随意に１つより多くのＢを含む、少なくとも１つのＢを指すことなどができる。
【００６８】
ここで請求項に記載されている、２つ以上のステップ又は動作を含む如何なる方法においても、明らかにそれとは反対の指示がない限り、方法のステップ又は動作の順序は、必ずしも、方法のステップ又は動作が列挙されている順序に限定されないことも理解されるべきである。
【００６９】
請求項及び上記の明細書において、「有する」、「含有する」、「備える」、「持つ」、「包含する」、「含む」、「保持する」、「〜で構成される」などのような全ての移行句は、非制限のものであること、即ち、含むが、限定されないことを意味することを理解されたい。米国特許庁審査手順マニュアルの第2111.03項に記載されているように、「〜から成る」及び「本質的に〜から成る」という移行句のみが、各々、排他的又は半排他的な移行句であるとする。
【図１】
2019507484.tif 000003
【図２】
2019507484.tif 000004
【図３】
2019507484.tif 000005
【国際調査報告】
2019507484.tif 000006
2019507484.tif 000007
2019507484.tif 000008